(57)【要約】      （修正有）【課題】負、正、正の３群で、レンズ枚数の削減、レンズ全長の短縮化を達成する４倍程度のズームレンズを提供する。【解決手段】物体側より順に負の第１群、正の第２群、正の第３群よりなるズームレンズにおいて、ズーミングに際し、第1〜３群が全て移動し、第１,２群の空気間隔が減少し、第２,３群間隔が増大し、第１群は物体側より負レンズ、正レンズの２枚にて構成され、第２群は物体側より負レンズ、正レンズからなる接合レンズ、正レンズの３枚にて構成され、第３群は１枚の正レンズにて構成され、第３群は、広角端より中間位置にかけて物体側へ移動し、中間位置から望遠端にかけて像側へ移動すると共に、−１．２＜Ｍ３ｍ／Ｍ３ｔ＜−０．４を満足する。ただし、Ｍ３ｍ；広角端より焦点距離が√（ｆｗ・ｆｔ）となる中間位置までの第３群の移動量、Ｍ３ｔ：広角端より望遠端への第３群の移動量、ｆｗ、ｆｔ：広角端、望遠端における全系の焦点距離。【選択図】図１
2012113105.tif 000002
【特許請求の範囲】
【請求項１】
A、物体側より順に負の第１群、正の第２群、正の第３群よりなり、各群の空気 間隔変化によって変倍を行うズームレンズにおいて、
B、広角端 より望遠端 へのズーミングに際し、第1~３群が全て移動する。
C、１,２群の空気間隔 が減少し、前記第２,３群間隔が増大する。
D、前記第１群は物体側より負の１1レンズ、正の１2レンズとの計2枚にて構成され、
E,、前記第２群は物体側より負の21レンズ、正の22レンズとを接合したレンズ、正の２３レンズの計３枚にて構成され、
F、前記第3群は1枚の正レンズにて構成されると共に
G、前記第3群は、広角端より中間にかけて物体側へ移動し
H、中間から望遠端にかけて像側へ移動すると共に以下の条件式を
満足する事を特徴とするズームレンズ。
−１．１  ＜  Ｍ３ｍ／Ｍ３ｔ  ＜  −０．４        ・・・（１）
Ｍ３ｍ；広角端より焦点距離が√（ｆｗ・ｆｔ）となる中間位置までの３群の移動量（物体側マイナス、像側プラス）
Ｍ３ｔ：広角端より望遠端への３群の移動量（物体側マイナス、像側プラスで両端の位置の差を意味する）
ｆｗ：広角端における前系の焦点距離
ｆｔ：望遠端における前系の焦点距離
【請求項２】
A,前記レンズ系において、前記第２群中の負の21レンズ、正の22レンズは、
以下の条件を満足する第1項に記載のズームレンズ。
６．７＜  n21・Z  ＜  ９．５                ・・・・（２）
１５．５  ＜  ν２１−ν２２  ＜  ２１．０    ・・・（３）
n21；  21レンズの屈折率
Z；  変倍比    （ｆｔ／ｆｗ）
ν21  ；21レンズのアッべ数
ν22  ；  22レンズのアッベ数
【請求項３】
Ａ,前記レンズ系において前記第1群中、負の２１レンズは像側の曲率が強いメニスカスレンズであり両レンズ面が非球面である。
B、第2群中正の２２レンズは物体側の曲率が強いメニスカス状のレンズである。
C、請求項1又は請求項２に記載のズームレンズ。
【請求項４】
A,前記レンズ系において、前記第２群中の負の21レンズ、正の22レンズはそれぞれ以下の条件を満足する。
C、請求項1乃至請求項３の何れか１項に記載のズームレンズ。
０．０４９    ＜  n21  −  n22  ＜    ０．０５６・・（４）
1.８    ＜  （n21＋n22）／2  ＜    １．９    ・・・（５）
n22；  2２レンズの屈折率
【請求項５】
A,前記レンズ系において、前記第３群中の正の31レンズからなり、
B、該３１レンズは物体側の曲率が強い両凸レンズにて構成しかつ
Ｃ、請求項1乃至請求項4の何れか１項に記載のズームレンズ。
−８    ＜  （Ｒ３１−Ｒ３２）／（Ｒ３１＋Ｒ３２）  ＜    −１  ・・（６）
Ｒ３1；  ３１レンズの物体側の近軸曲率半径
Ｒ３２；  ３１レンズの像側の曲率半径
【請求項６】
A,前記レンズ系において、前記第1群及び第3群は以下の条件式を満足する事を特徴とする
B請求項1乃至請求項5の何れか１項に記載のズームレンズ。
−０．６  ＜  Ｆ１／Ｆ３  ＜  −０．４５
Ｆ１；  第１群の焦点距離
Ｆ３；  第３群の焦点距離
【発明の詳細な説明】
【技術分野】
【０００１】
本発明はデジタルスチルカメラ等に好適な小型で広画角のズームレンズに関し、特に所定の変倍比を確保すると共に、レンズ全長の短縮化を図った携帯性に優れたズームレンズに関するものである。
【背景技術】
【０００２】
近年ＣＣＤを用いて静止画を撮影する、デジタルスチルカメラが注目を集めている。
【０００３】
デジタルスチルカメラ用のズームレンズとしては、カメラのレンズ全長の極めて短い光学系が要求されている。
【０００４】
従来全長が短く少ないレンズ枚数で構成できるレンズ群構成として、負、正、正の3群を有し各群の空気間隔を変化させて変倍を行うレンズタイプが知られている。
【０００５】
負、正、正、の３群を有し、広角端より望遠端へのズーミング中2、３群間隔が広がる例として特許文献１、特許文献２がある。
【０００６】
特許文献１においては、負、正、正、の３群からなり第1群を負正2枚構成、第2群を正負正3枚構成、第3群を正1枚構成で構成した3倍程度の変倍比を有するズームレンズが開示されているが、変倍比の点で充分ではなかった。特許文献２では、負、正、正、の３群からなり第1群を負正2枚構成、第2群を正負正3枚構成、第3群を正1枚構成で構成した4倍程度の変倍比を持つズームレンズが開示されている。
【０００７】
しかしながら該特許文献１、２では、広角域における球面収差の補正が充分ではなくズーミングによる収差変動が大きいレンズ系であった。
【先行技術文献】
【特許文献】
【０００８】
【特許文献１】特開2004-246141号公報
【特許文献２】特開2007-272216号公報
【発明の概要】
【発明が解決しようとする課題】
【０００９】
上述の特許文献１，２に開示された従来技術では、4倍程度の変倍比を有しつつ充分良好な光学性能を有する解は提供されていなかった。
【００１０】
本発明の目的は従来の負、正、正の３群、レンズを更に改良し、各群のレンズ構成、非球面の位置、移動方法、硝材使用法を最適に配置し、レンズ枚数の削減を計り、レンズ全長の短縮化を達成したにもかかわらず、４倍程度の変倍比を有しつつ、高い光学性能を有し、デジタルスチルカメラ等に適した光学系を提供することである。
【課題を解決するための手段】
【００１１】
上記目的を達成するための構成は、
A、物体側より順に負の第１群、正の第２群、正の第３群よりなり、各群の空気間隔変化によって変倍を行うズームレンズにおいて、
B、広角端 より望遠端 へのズーミングに際し、第1~３群が全て移動する。、
C、１,２群の空気間隔 が減少し、前記第２,３群間隔が増大する。
D、前記第１群は物体側より負の１1レンズ、正の１2レンズとの計2枚にて構成され、
E,、前記第２群は物体側より負の21レンズ、正の22レンズとを接合したレンズ、正の２３レンズの計３枚にて構成され、
F、前記第3群は1枚の正レンズにて構成されると共に
G、前記第3群は、広角端より中間にかけて物体側へ移動し
H、中間から望遠端にかけて像側へ移動すると共に以下の条件式を満足する事である。
【００１２】
−１．１  ＜  Ｍ３ｍ／Ｍ３ｔ  ＜  −０．４        ・・・（１）
Ｍ３ｍ；広角端より  焦点距離が√（ｆｗ・ｆｔ）となる中間位置までの３群の移動量（物体側マイナス、像側プラス）
Ｍ３ｔ：広角端より望遠端への３群の移動量（物体側マイナス、像側プラスで両端の位置の差を意味する）
ｆｗ：広角端における前系の焦点距離
ｆｔ：望遠端における前系の焦点距離
【発明の効果】
【００１３】
本発明によれば、従来の負、正、正の３群、レンズを更に改良し、各群のレンズ構成、非球面の位置、移動方法、硝材使用法を最適に配置し、レンズ枚数の削減を計り、レンズ全長の短縮化を達成したにもかかわらず、４倍程度の変倍比を有しつつ、高い光学性能を有し、デジタルスチルカメラ等に適した光学系を提供することができる。
【図面の簡単な説明】
【００１４】
【図１】実施例１のレンズ断面図
【図２】実施例２のレンズ断面図
【図３】実施例３のレンズ断面図
【図４Ａ】実施例１の縦収差図
【図４Ｂ】実施例１の縦収差図
【図４Ｃ】実施例１の縦収差図
【図５Ａ】実施例２の縦収差図
【図５Ｂ】実施例２の縦収差図
【図５Ｃ】実施例２の縦収差図
【図６Ａ】実施例3の縦収差図
【図６Ｂ】実施例3の縦収差図
【図６Ｃ】実施例3の縦収差図
【発明を実施するための形態】
【００１５】
本発明においては、物体側より順に負の第１群、正の第２群、正の第３群よりなり、各群の空気間隔変化によって変倍を行うズームレンズタイプを採用する事により少ない群数で変倍を可能にしている。
【００１６】
図１は実施例１のレンズ断面図、図２は実施例２のレンズ断面図、図３は実施例３のレンズ断面図である。図１乃至図３において、Ａ）は広角端、Ｂ）は中間、Ｃ）は望遠端である。図４Ａ〜図４Ｃは実施例１の縦収差図、図５Ａ〜図５Ｃは実施例２の縦収差図、図６Ａ〜図６Ｃは実施例3の縦収差図である。図４Ａ、図５Ａ、図６Ａは広角端、図４Ｂ、図５Ｂ、図６Ｂは中間、図４Ｃ、図５Ｃ、図６Ｃは望遠端である。
【００１７】
広角端 より望遠端 へのズーミングに際し、第1~３群が全て移動する事によりズーミング中の像面湾曲の変動を最小限とする事を可能にしている。
【００１８】
１,２群の空気間隔が減少し、前記第２,３群間隔が増大する。
【００１９】
本発明の実施形態では、４倍程度の変倍比を有しつつ各レンズ群における構成を良好な収差補正が行える範囲において最小のレンズ枚数としている。
【００２０】
前記第１群は物体側より負の１1レンズ、正の１2レンズとの計2枚にて構成される。これは負レンズ１枚では、広角域の歪曲収差が極端に大きくなり望遠域での色収差も良好の補正出来ないので、該２枚構成としている。
【００２１】
前記第２群は物体側より負の21レンズ、正の22レンズとを接合したレンズ、正の２３レンズの計３枚にて構成される。２群においては、ズーム全域でコマフレアーを良好に補正するためには最低２枚の正レンズが必要で、かつ色収差の補正のためには、負レンズも１枚必要な為、該３枚構成としている。
【００２２】
前記第3群は1枚の正レンズにて構成されると共に前記第3群は、広角端より中間にかけて物体側へ移動し中間から望遠端にかけて像側へ移動する構成としている。これは４倍程度の変倍比を有しつつ、各群のパワーをつめて全長を短縮すると３群が１方向への移動軌跡では、ズーム中間での像面湾曲の変動が大きくなってしまうので、この３群の軌跡を最適化した結果である。
【００２３】
中間域の補正を良好に行う為には、第2群を正負接合＋正の3枚構成とする事により中間部のコマフレアーを良好に補正する。それと同時に第3群の軌跡を物体側凸軌跡とすると共に（１）の条件式を満足させる事により中間領域の像面湾曲の変動を良好に補正している。
【００２４】
本発明の目的をより最良に近づける為には以下の条件を満足すると更に良い。
【００２５】
前記レンズ系において、前記第２群中の負の21レンズ、正の22レンズは、
以下の条件を満足する事。
【００２６】
６．７＜  n21・Z  ＜  ９．５                ・・・・（２）
１５．５  ＜  ν２１−ν２２  ＜  ２１．０    ・・・（３）
n21；  21レンズの屈折率
Z；  変倍比    （ｆｔ／ｆｗ）
ν21  ；21レンズのアッべ数
ν22  ；  22レンズのアッベ数
Ａ,前記レンズ系において前記第1群中、負の２１レンズは像側の曲率が強いメニスカスレンズであり両レンズ面が非球面である。
【００２７】
B、第2群中正の２２レンズは物体側の曲率が強いメニスカス状のレンズである事。
A,前記レンズ系において、前記第２群中の負の21レンズ、正の22レンズはそれぞれ以下の条件を満足する事。
【００２８】
０．０４９    ＜  n21  −  n22  ＜    ０．０５６・・・（４）
１．８    ＜  （n21＋n22）／2  ＜    １．９・・・・・・（５）
n2２；  2２レンズの屈折率
A,前記レンズ系において、前記第３群中の正の31レンズからなり、
B、該３１レンズは物体側の曲率が強い両凸レンズにて構成しかつ
以下の条件を満足する事。
【００２９】
−８      ＜  （Ｒ３１−Ｒ３２）／（Ｒ３１＋Ｒ３２）  ＜    −１・・・（６）
Ｒ３1；  ３１レンズの物体側の近軸曲率半径
Ｒ３２；  ３１レンズの像側の曲率半径
A,前記レンズ系において、前記第1群及び第3群は以下の条件式を満足する事を特徴とする事
−０．６  ＜  Ｆ１／Ｆ３  ＜  −０．４５・・・・・・・・・・・・・・（７）
Ｆ１；  第１群の焦点距離
Ｆ３；  第３群の焦点距離
各条件式の数値は以下の値を満足する事が更に望ましい。
【００３０】
次に各条件式の意味について説明する。
【００３１】
条件式（１）は、広角端より焦点距離が√（ｆｗ・ｆｔ）となる中間位での３群の移動量（物体側マイナス、像側プラス）と広角端より望遠端への３群の移動量（物体側マイナス、像側プラスで両端の位置の差を意味する）の比に関するものである。
（１）式の上限又は下限を超えて移動軌跡が適切でないと、中間域における像面湾曲が大きくなってくるので良くない。
（２）式は、21レンズの屈折率と、変倍比の積に関するもので、（２）式の上限を超えてn21レンズの製造が困難となり、コストが増大してしまう。
（２）の下限を超えて21レンズの屈折率が低くなりすぎるとペッツバール和が正の方向に大きくなり、周辺像面の補正が困難となってくる。
（３）式は、第2群中の２１、２２レンズのアッベ数の差に関するもので、（４）の上限又は下限を超えると、望遠域における軸上色収差の補正が困難になってくる。
（４）式は２１レンズ、２２レンズの屈折率差に関するもので、（４）式の上限を超えて22レンズの屈折率が低くなりすぎると、広角域〜中間におけるコマフレアーの補正が困難となってくるので良くない。
（４）の下限を超えて屈折率の差が小さくなりすぎると、ペッツバール和が負の方向に増大し、周辺像面の補正が困難になってくるので良くない。
（５）式は21レンズ２２レンズの平均屈折率に関するもので、（５）式の上限を超えて屈折率が高くなりすぎると、ガラスの材料費、加工費が増大しコスト高となるので良くない。
（５）の下限を超えて屈折率が低くなりすぎると、広角域における周辺部のコマ収差の補正が困難となってくるので良くない。
（６）式は31レンズのシェープファクターに関するもので、（６）式の上限値を超えると第3群でFocusを行った場合のFocusによる像面湾曲の変動が増大しズーム全域において至近距離の結像性能が低下するので良くない。
（６）の下限値を超えると、該３１レンズに起因するゴーストが許容範囲を超えてしまうので良くない。
（７）式は第１群と第３群の焦点距離比に関するもので、（７）式の上限値を超えて第１群のパワーがきつくなり過ぎると、広角域での周辺部コマフレアーの補正が困難となる。
それと共に、所定の変倍比の確保が困難となってくるので良くない。
（７）の下限値を超えて第１群のパワーが緩くなりすぎると、広角端で全長、前玉径ともに増大してくるので良くない。
【００３２】
各条件式の数値範囲は以下の条件を満足する事が更に望ましい。
【００３３】
−０．７  ＜  Ｍ３ｍ／Ｍ３ｔ  ＜  −０．５        ・・・（１）dash
７．０＜  n21・Z  ＜  ８．０                ・・（２）dash
１６．５  ＜  ν２１−ν２２  ＜  １８．５    ・・（３）dash
０．０５１＜n21−n22＜０．０５４                        ・・・（４）dash
１．８２    ＜  （n21＋n22）／2  ＜    １．８５・・・（５）dash
−８＜（Ｒ３１−Ｒ３２）／（Ｒ３１＋Ｒ３２）＜−１    ・・・（６）dash
−０．５４＜  Ｆ１／Ｆ３＜−０．５０                  ・・・・（７）dash
以下に、本発明の好ましい実施の形態を、添付の図面に基づいて詳細に説明する。図１〜図３は、本発明の実施形態にかかるレンズ断面図である。
【００３４】
数値実施例１〜３において第１群の構成は、両面が非球面の負メニスカスレンズの２１レンズ、物体側の曲率が強い正メニスカスレンズの２２レンズ、の２枚にて構成されている。
【００３５】
数値実施例３においては、２２レンズのＲ１面に樹脂層を塗布し、該樹脂層に分散の大きな材料を使用する事により、より望遠域における軸上色収差を良好に補正している。
【００３６】
この樹脂層による色補正の効果により同等性能での全長短縮あるいは、高性能化を行う事が出来るが、製造上の難度は若干増大する。
【００３７】
数値実施例１〜３において第２群の構成は、物体側に非球面を有する物体側の曲率がきつい正メニスカスレンズと像側の曲率がきつい負メニスカスレンズを接合した接合レンズと物体側の曲率が強い両凸レンズの３枚にて構成されている。
【００３８】
請求項１〜３において第３群の構成は、物体側の曲率が強い両凸レンズにて構成されている。
【００３９】
数値実施例１及び３においては、物体側に非球面を有する。
【００４０】
レンズ全長をより短縮したい場合はこの３１レンズの非球面が有効であるが、一方で全長は若干許容するものの製造コストを抑えたい場合は球面系とした方が良い。
【００４１】
数値実施例1〜３においては、第1群は広角端から中間にかけて像側へ移動し中間から望遠端にかけて物体側へ移動する。
【００４２】
望遠端における1群の位置は広角端より物体側に配置される。
【００４３】
これは1群のパワーを強めた結果広角端の全長を短くし、前玉径の小型化にも有効な移動軌跡であるが、一方で、各群のパワーが強くなる。
【００４４】
この為、特許請求の範囲中で規定した屈折率やアッベ数の硝材を使用する事は、この様なパワー配置においても全長短縮を行う事ができる有効な手段となる。
【００４５】
【表１】
2012113105.tif 000003
【００４６】
〔数値実施例1〕
単位 mm
面データ
面番号       r        d      nd         vd       有効径
1*        40.978    1.10   1.80238    40.6       10.68
2*         4.921    1.16                          8.63
3          7.478    2.00   1.84666    23.9        8.82
4         17.593  (可変)                          8.30
5*         4.429    1.90   1.85960    40.3        4.50
6         17.175    0.60   1.80809    22.8        3.90
7          3.701    0.50                          3.49
8         13.658    1.20   1.80400    46.6        3.50
9        -26.834  (可変)                          3.48
10*        24.059    1.50   1.58913    61.3        7.53
11        -51.262  (可変)                          7.56
12          ∞       0.80   1.51633    64.1       15.00
13          ∞     (可変)                         15.00
像面        ∞   
非球面データ
第1面
K = 0.00000e+000  A 4=-5.40695e-004  A 6= 1.55588e-005  A 8=-1.32823e-007  
第2面
K =-1.66389e+000  A 4= 5.33893e-004  A 6= 9.36532e-006  A 8= 3.63846e-007  
第5面
K =-2.84171e-001  A 4=-5.55474e-005  A 6=-2.44517e-006  
第10面
K =-4.25953e+001  A 4= 3.76508e-004  A 6=-4.58005e-006  
各種データ
ズーム比      3.83 
焦点距離       5.95    11.57    22.75    10.48    17.77  
Fナンバー      2.88     3.88     6.50     3.67     5.26  
画角          29.10    17.16     8.93    18.83    11.37  
像高           3.31     3.57     3.57     3.57     3.57  
レンズ全長    34.04    28.39    35.16    28.40    32.11  
BF             6.45     8.00     3.55     7.86     6.41  
d 4           14.49     3.97     0.40     5.04     1.15  
d 9            3.15     6.47    21.25     5.54    14.59  
d11            4.57     6.12     1.66     5.98     4.53  
d13            1.35     1.35     1.35     1.35     1.35  
入射瞳位置     8.27     4.83     2.73     5.33     3.24  
射出瞳位置   -13.38   -21.25  -175.86   -19.13   -51.94  
前側主点位置  11.81    10.47    22.56    10.44    15.08  
後側主点位置  -4.59   -10.22   -21.40    -9.13   -16.41  
ズームレンズ群データ
群  始面    焦点距離  レンズ構成長  前側主点位置  後側主点位置
1    1     -14.90         4.26         0.35         -2.44
2    5      10.72         4.20        -1.04         -3.49
3   10      28.00         1.50         0.30         -0.65
4   12       ∞           0.80         0.26         -0.26
単レンズデータ
レンズ  始面  焦点距離
1       1     -7.07
2       3     14.08
3       5      6.50
4       6     -5.96
5       8     11.41
6      10     28.00
7      12      0.00
〔数値実施例2〕
単位 mm
面データ
面番号       r        d      nd         vd       有効径
1*       342.053    1.30   1.84862    40.0       11.53
2*         5.701    1.25                          9.35
3          8.583    2.10   1.84666    23.9        9.62
4         26.949  (可変)                          9.21
5*         4.747    2.10   1.85961    40.3        5.03
6         17.150    0.50   1.80809    22.8        4.33
7          3.924    0.67                          3.95
8         12.744    1.20   1.77250    49.6        4.02
9        -28.193  (可変)                          4.00
10         28.993    1.50   1.60311    60.6        7.54
11        -43.222  (可変)                          7.58
12          ∞       0.80   1.51633    64.1       15.00
13          ∞     (可変)                         15.00
像面        ∞   
非球面データ
第1面
K = 0.00000e+000  A 4=-8.46005e-005  A 6= 2.13442e-006  A 8= 9.29448e-010  
第2面
K =-4.76446e-001  A 4=-1.33821e-004  A 6=-1.09656e-006  A 8= 1.29279e-007  
第5面
K =-3.05547e-001  A 4= 8.90271e-006  A 6= 2.05518e-006  
各種データ
ズーム比      3.83 
焦点距離       5.95    11.57    22.75    10.12    18.26  
Fナンバー      2.88     3.87     6.05     3.60     5.15  
画角          29.10    17.14     8.92    19.44    11.06  
像高           3.31     3.57     3.57     3.57     3.57  
レンズ全長    39.04    32.93    37.90    33.22    35.25  
BF             4.85     5.37     4.03     5.31     4.90  
d 4           17.21     5.80     0.48     7.49     1.73  
d 9            6.36    11.14    22.77     9.80    18.00  
d11            2.95     3.47     2.13     3.41     3.00  
d13            1.37     1.37     1.37     1.37     1.37  
入射瞳位置     8.51     5.53     2.87     6.14     3.63  
射出瞳位置   -18.39   -33.08  -254.96   -28.18   -83.42  
前側主点位置  12.67    13.21    23.60    12.79    17.95  
後側主点位置  -4.58   -10.20   -21.38    -8.75   -16.89  
ズームレンズ群データ
群  始面    焦点距離  レンズ構成長  前側主点位置  後側主点位置
1    1     -14.74         4.65        -0.04         -3.15
2    5      11.37         4.47        -0.81         -3.61
3   10      29.00         1.50         0.38         -0.56
4   12       ∞           0.80         0.26         -0.26
単レンズデータ
レンズ  始面  焦点距離
1       1     -6.84
2       3     14.13
3       5      7.08
4       6     -6.41
5       8     11.51
6      10     29.00
7      12      0.00
〔数値実施例3〕
単位 mm
面データ
面番号       r        d      nd         vd       有効径
1*        49.005    1.10   1.80238    40.6       10.71
2*         4.798    1.18                          8.61
3          7.395    0.60   1.63555    22.7        8.81
4         10.529    1.30   1.84666    23.9        8.77
5         22.548  (可変)                          8.45
6*         4.421    1.90   1.85961    40.3        4.50
7         21.285    0.60   1.80809    22.8        3.91
8          3.718    0.50                          3.49
9         16.016    1.20   1.80400    46.6        3.50
10        -21.512  (可変)                          3.49
11*        19.575    1.50   1.58913    61.3        7.59
12       -101.881  (可変)                          7.59
13          ∞       0.80   1.51633    64.1       15.00
14          ∞     (可変)                         15.00
像面        ∞   
非球面データ
第1面
K = 0.00000e+000  A 4=-5.72306e-004  A 6= 1.62260e-005  A 8=-1.28049e-007  
第2面
K =-9.70422e-001  A 4=-2.97299e-004  A 6= 2.78071e-005  A 8=-5.23467e-007  A10= 2.33952e-008  
第6面
K =-2.97128e-001  A 4=-6.45803e-005  A 6=-1.45033e-006  
第11面
K = 1.79499e+000  A 4=-6.36541e-007  A 6= 1.46693e-006  
各種データ
ズーム比      3.83 
焦点距離       5.74    11.21    21.96    10.14    17.22  
Fナンバー      2.88     3.89     6.50     3.68     5.27  
画角          29.97    17.69     9.24    19.41    11.72  
像高           3.31     3.57     3.57     3.57     3.57  
レンズ全長    33.87    28.38    35.31    28.37    32.20  
BF             6.26     7.87     3.63     7.71     6.40  
d 5           14.34     3.93     0.40     4.99     1.13  
d10            3.40     6.71    21.41     5.79    14.79  
d12            4.38     5.99     1.75     5.83     4.52  
d14            1.35     1.35     1.35     1.35     1.35  
入射瞳位置     7.80     4.61     2.67     5.07     3.13  
射出瞳位置   -13.52   -21.52  -177.29   -19.37   -52.57  
前側主点位置  11.32    10.33    21.93    10.25    14.85  
後側主点位置  -4.39    -9.85   -20.61    -8.79   -15.87  
ズームレンズ群データ
群  始面    焦点距離  レンズ構成長  前側主点位置  後側主点位置
1    1     -14.20         4.18         0.02         -2.86
2    6      10.67         4.20        -0.98         -3.46
3   11      28.00         1.50         0.15         -0.80
4   13       ∞           0.80         0.26         -0.26
単レンズデータ
レンズ  始面  焦点距離
1       1     -6.70
2       3     36.39
3       4     22.23
4       6      6.17
5       7     -5.66
6       9     11.58
7      11     28.00
8      13      0.00
【符号の説明】
【００４７】
収差図中、dはd線、gはg線、△Mはメリディオナル像面、△Sはサジタル像面、横収差図中のSはｄ線サジタル収差
【図１】
2012113105.tif 000004
【図２】
2012113105.tif 000005
【図３】
2012113105.tif 000006
【図４Ａ】
2012113105.tif 000007
【図４Ｂ】
2012113105.tif 000008
【図４Ｃ】
2012113105.tif 000009
【図５Ａ】
2012113105.tif 000010
【図５Ｂ】
2012113105.tif 000011
【図５Ｃ】
2012113105.tif 000012
【図６Ａ】
2012113105.tif 000013
【図６Ｂ】
2012113105.tif 000014
【図６Ｃ】
2012113105.tif 000015